(57)【特許請求の範囲】
【請求項１】
冷凍温度に冷却される冷凍室と、
この冷凍室に隣り合って設けられ冷凍温度帯から冷蔵温度帯までの任意の冷却温度に設定される仕様切換室と、
この仕様切換室について設定された冷却温度に応じてダンパ開温度及びダンパ閉温度が設定され、ダンパ用温度センサがこの設定ダンパ開温度及び設定ダンパ閉温度を検出したときにそれぞれダンパを開閉して仕様切換室への冷気供給量を制御するダンパ装置と、
前記冷凍室を急速に冷凍するための急速冷凍指令が発生したときに急速冷凍運転を実行する急速冷凍運転制御手段と、
前記急速冷凍運転が開始されると、急速冷凍運転の開始時点から所定時間後に設定ダンパ開温度及び設定ダンパ閉温度を通常運転時より高める方向へ変更する切換室温度補償制御手段と
を備えてなる冷蔵庫。
【請求項２】
冷凍温度に冷却される冷凍室と、
この冷凍室に隣り合って設けられ冷凍温度帯から冷蔵温度帯までの任意の冷却温度に設定される仕様切換室と、
この仕様切換室について設定された冷却温度に応じてダンパ開温度及びダンパ閉温度が設定され、ダンパ用温度センサがこの設定ダンパ開温度及び設定ダンパ閉温度を検出したときにそれぞれダンパを開閉して仕様切換室への冷気供給量を制御するダンパ装置と、
前記冷凍室を急速に冷凍するための急速冷凍指令が発生したときに急速冷凍運転を実行する急速冷凍運転制御手段と、
前記冷凍室内の温度を検出する冷凍室用温度センサと、
前記急速冷凍運転が開始されると、この急速冷凍運転の開始以後、前記冷凍室用温度センサによる検出温度が所定温度に達した時点で設定ダンパ開温度及び設定ダンパ閉温度を通常運転時より高める方向へ変更する切換室温度補償制御手段と
を備えてなる冷蔵庫。
【請求項３】
冷凍温度に冷却される冷凍室と、
この冷凍室に隣り合って設けられ冷凍温度帯から冷蔵温度帯までの任意の冷却温度に設定される仕様切換室と、
この仕様切換室について設定された冷却温度に応じてダンパ開温度及びダンパ閉温度が設定され、ダンパ用温度センサがこの設定ダンパ開温度及び設定ダンパ閉温度を検出したときにそれぞれダンパを開閉して仕様切換室への冷気供給量を制御するダンパ装置と、
前記冷凍室を急速に冷凍するための急速冷凍指令が発生したときに急速冷凍運転を実行する急速冷凍運転制御手段と、
前記急速冷凍運転が開始されると、設定ダンパ開温度及び設定ダンパ閉温度を通常運転時より高めに変更すると共に、仕様切換室の設定冷却温度に応じて設定ダンパ開温度及び設定ダンパ閉温度の変更幅を異ならせる切換室温度補償制御手段と
を備えてなる冷蔵庫。
【請求項４】
切換室温度補償制御手段は、仕様切換室の設定冷却温度に応じて設定ダンパ開温度及び設定ダンパ閉温度の変更時点を異ならせていることを特徴とする請求項１記載の冷蔵庫。
【請求項５】
冷凍温度に冷却される冷凍室と、
この冷凍室に隣り合って設けられ冷凍温度帯から冷蔵温度帯までの任意の冷却温度に設定される仕様切換室と、
この仕様切換室について設定された冷却温度に応じてダンパ開温度及びダンパ閉温度が設定され、ダンパ用温度センサがこの設定ダンパ開温度及び設定ダンパ閉温度を検出したときにそれぞれダンパを開閉して仕様切換室への冷気供給量を制御するダンパ装置と、
前記冷凍室を急速に冷凍するための急速冷凍指令が発生したときに急速冷凍運転を実行する急速冷凍運転制御手段と、
前記仕様切換室を加熱すべく設けられたヒータと、
前記急速冷凍運転が開始されると、設定ダンパ開温度及び設定ダンパ閉温度を通常運転時より高める方向へ変更する切換室温度補償制御手段と、
急速冷凍運転時において仕様切換室の温度が設定ダンパ閉温度以下であるときもしくは該設定ダンパ閉温度に近い温度以下であるときに前記ヒータに通電するヒータ制御手段と
を備えてなる冷蔵庫。
【請求項６】
冷凍温度に冷却される冷凍室と、
この冷凍室に隣り合って設けられ冷凍温度帯から冷蔵温度帯までの任意の冷却温度に設定される仕様切換室と、
この仕様切換室を加熱すべく設けられたヒータと、
前記仕様切換室について設定された冷却温度に応じてダンパ開温度及びダンパ閉温度が設定され、ダンパ用温度センサがこの設定ダンパ開温度及び設定ダンパ閉温度を検出したときにそれぞれダンパを開閉して仕様切換室への冷気供給量を制御するダンパ装置と、
前記冷凍室を急速に冷凍するための急速冷凍指令が発生したときに急速冷凍運転を実行する急速冷凍運転制御手段と、
前記急速冷凍運転が開始されると、前記ダンパ装置のダンパが閉鎖される時間帯において前記ヒータの制御パターンを通常運転時より発熱量アップの方向へ変更する切換室温度補償制御手段と
を備えてなる冷蔵庫。
【請求項７】
冷凍温度に冷却される冷凍室と、
この冷凍室に隣り合って設けられ冷凍温度帯から冷蔵温度帯までの任意の冷却温度に設定される仕様切換室と、
この仕様切換室を加熱すべく設けられたヒータと、
前記仕様切換室について設定された冷却温度に応じてダンパ開温度及びダンパ閉温度が設定され、ダンパ用温度センサがこの設定ダンパ開温度及び設定ダンパ閉温度を検出したときにそれぞれダンパを開閉して仕様切換室への冷気供給量を制御するダンパ装置と、
前記冷凍室を急速に冷凍するための急速冷凍指令が発生したときに急速冷凍運転を実行する急速冷凍運転制御手段と、
前記急速冷凍運転が開始されると、前記仕様切替室の温度変化が上昇傾向にあるときに前記ヒータの制御パターンを通常運転時より発熱量アップの方向へ変更する切換室温度補償制御手段と
を備えてなる冷蔵庫。
【請求項８】
切換室温度補償制御手段は、急速冷凍運転の開始時点から所定時間後に、ヒータの制御パターンを変更するようになっていることを特徴とする請求項６又は７に記載の冷蔵庫。
【請求項９】
切換室温度補償制御手段は、外気温度に応じてヒータの発熱量を変更するようになっていることを特徴とする請求項６又は７に記載の冷蔵庫。
【請求項１０】
切換室温度補償制御手段は、仕様切換室の設定冷却温度に応じてヒータの発熱量を変更するようになっていることを特徴とする請求項６又は７に記載の冷蔵庫。
【請求項１１】
冷凍室内の温度を検出する冷凍室用温度センサを備え、
切換室温度補償制御手段は、急速冷凍運転の開始以後、前記冷凍室用温度センサによる検出温度が所定温度に達した時点でヒータの制御パターンを変更するようになっていることを特徴とする請求項６又は７に記載の冷蔵庫。
【発明の詳細な説明】
【０００１】
【発明の属する技術分野】
本発明は、冷凍温度帯から冷蔵温度帯までの任意の冷却温度に設定される仕様切換室を備えた冷蔵庫に関する。
【０００２】
【発明が解決しようとする課題】
最近、冷蔵庫には、冷凍温度帯から冷蔵温度帯までの任意の冷却温度に設定される仕様切換室を、冷凍室に隣り合って設けた構成のものがある。この仕様切換室は、外部入力手段からの入力により冷却温度が、例えば、冷凍室仕様温度、パーシャルフリージング室仕様温度帯、チルド室仕様温度帯、冷蔵室仕様温度帯及び野菜室仕様温度帯のいずれかに設定されるようになっている。この場合、仕様切換室をその設定温度に制御すべく、ダンパ装置が備えられている。このダンパ装置は、設定された冷却温度に応じてダンパ開温度及びダンパ閉温度が設定され、ダンパ用温度センサがこの設定ダンパ開温度及び設定ダンパ閉温度を検出したときにそれぞれダンパを開閉する構成となっており、もって、仕様切換室への冷気供給量を制御してその設定温度となるように制御する。
【０００３】
ところで、この種冷蔵庫においては、冷凍室を迅速に冷却するために急速冷凍機能を備えており、この機能は、外部入力手段例えば急速冷凍スイッチが操作されると（急速冷凍指令が発生すると）、コンプレッサを、一定時間、強制的に連続運転することを行ない、もって冷凍室を急冷する。なお、コンプレッサは、通常運転時においては、周知のように、冷凍室用温度センサに基いて運転・停止制御されるものである。
【０００４】
上記の冷蔵庫においては、次の不具合があった。すなわち、急速冷凍運転が実行されると、仕様切換室へ供給される冷気の温度自体が低下し、また、冷凍室から仕様切換室への熱リークが通常運転時よりも大きくなる。このため、仕様切換室内の温度が設定温度よりも低くなって、過冷却状態となってしまうおそれがある。
【０００５】
本発明は上述の事情に鑑みてなされたものであり、その目的は、冷凍室が急速冷凍される場合でも、仕様切換室が過冷却状態となることを防止できる冷蔵庫を提供するにある。
【０００６】
【課題を解決するための手段】
請求項１の発明は、冷凍温度に冷却される冷凍室と、
この冷凍室に隣り合って設けられ冷凍温度帯から冷蔵温度帯までの任意の冷却温度に設定される仕様切換室と、
この仕様切換室について設定された冷却温度に応じてダンパ開温度及びダンパ閉温度が設定され、ダンパ用温度センサがこの設定ダンパ開温度及び設定ダンパ閉温度を検出したときにそれぞれダンパを開閉して仕様切換室への冷気供給量を制御するダンパ装置と、
前記冷凍室を急速に冷凍するための急速冷凍指令が発生したときに急速冷凍運転を実行する急速冷凍運転制御手段と、
前記急速冷凍運転が開始されると、急速冷凍運転の開始時点から所定時間後に設定ダンパ開温度及び設定ダンパ閉温度を通常運転時より高める方向へ変更する切換室温度補償制御手段と
を備えて構成される。
【０００７】
上記構成においては、急速冷凍運転が開始されると、切換室温度補償制御手段により、設定ダンパ開温度及び設定ダンパ閉温度を通常運転時より高める方向へ変更するから、ダンパ装置のダンパの閉塞頻度が多くなり、もって、急速冷凍運転が実行されても、仕様切換室が過冷却されることがなくなる。
【０００８】
さらにこの請求項１の発明は、切換室温度補償制御手段が、急速冷凍運転の開始時点から所定時間後に設定ダンパ開温度及び設定ダンパ閉温度を変更するところにも特徴を有する。
この請求項１の発明は、次の点に着目してなされている。すなわち、従来において、急速冷凍運転が開始された場合、仕様切換室は初期のうちには過冷却状態となることがなく、急速冷凍運転が進むにつれて徐々に過冷却状態となってゆく。従って、急速冷凍運転が開始されて若干時間が経過してから、切換室温度補償制御手段による上記設定ダンパ開温度及び設定ダンパ閉温度の変更を行なっても差し支えがない。ちなみに、急速冷凍運転の開始と同時に上述の温度変更を行なうと、一時的に仕様切換室の温度が高くなる懸念もある。
【０００９】
しかるにこの請求項１の発明においては、切換室温度補償制御手段が、急速冷凍運転の開始時点から所定時間後に設定ダンパ開温度及び設定ダンパ閉温度を変更するようになっているから、変更制御が適正時期に行なわれるようになり、仕様切換室が一時的に温度が高くなることがない。
【００１０】
請求項２の発明は、冷凍室内の温度を検出する冷凍室用温度センサを備え、
切換室温度補償制御手段が、急速冷凍運転の開始以後、前記冷凍室用温度センサによる検出温度が所定温度に達した時点で設定ダンパ開温度及び設定ダンパ閉温度を変更するようになっているところに特徴がある。
【００１１】
この請求項２の発明も請求項１の発明と同様の考え方である。すなわち、急速冷凍運転が開始された場合、仕様切換室は初期のうちには、つまり、冷凍室の温度が所定温度まで低下しないうちは過冷却状態となることがないという考え方である。しかして、この請求項２の発明は、急速冷凍運転の開始以後、前記冷凍室用温度センサによる検出温度が所定温度に達した時点で設定ダンパ開温度及び設定ダンパ閉温度を変更するから、変更制御が適正時期に行なわれるようになり、仕様切換室が一時的に温度が高くなることがない。
【００１２】
請求項３の発明は、切換室温度補償制御手段が、仕様切換室の設定冷却温度に応じて設定ダンパ開温度及び設定ダンパ閉温度の変更幅を異ならせているところに特徴を有する。
この請求項３の発明は、次の点に着目してなされている。すなわち、急速冷凍運転が開始された時、仕様切換室が過冷却状態となる程度は、その時点での仕様切換室の温度状態（仕様状態）によって異なるものである。例えば、仕様切換室の設定冷却温度が冷蔵室仕様である場合にこの状態から過冷却となる程度と、仕様切換室の設定冷却温度が冷凍室仕様である場合にこの状態から過冷却となる程度とでは、後者の方が大きい。
【００１３】
しかして、請求項３の発明では、仕様切換室の設定冷却温度に応じて設定ダンパ開温度及び設定ダンパ閉温度の変更幅を異ならせているから、仕様切換室の仕様状態にあった変更幅で設定ダンパ開温度及び設定ダンパ閉温度を設定でき、もって、仕様切換室の仕様状態にかかわらずに過冷却を防止できるようになる。
【００１４】
請求項４の発明は、切換室温度補償制御手段が、仕様切換室の設定冷却温度に応じて設定ダンパ開温度及び設定ダンパ閉温度の変更時点を異ならせているところに特徴を有する。
この請求項４の発明は、上記請求項３とほぼ同様の考え方である。例えば、仕様切換室の設定冷却温度が冷蔵室仕様である場合にこの状態から過冷却となる時間と、仕様切換室の設定冷却温度が冷凍室仕様である場合にこの状態から過冷却となる時間とでは、後者の方が早い。
【００１５】
しかして、請求項４の発明においては、仕様切換室の設定冷却温度に応じて設定ダンパ開温度及び設定ダンパ閉温度の変更時点を異ならせているから、仕様切換室の仕様状態に合わせて変更タイミングとすることが可能で、もって、仕様切換室の仕様状態にかかわらずに過冷却を防止できるようになる。
【００１６】
請求項５の発明は、仕様切換室を加熱すべく設けられたヒータと、
急速冷凍運転時において仕様切換室の温度が設定ダンパ閉温度以下であるときもしくは該設定ダンパ閉温度に近い温度以下であるときに前記ヒータに通電するヒータ制御手段と
を設けたところに特徴を有する。
この請求項５の発明においては、設定ダンパ開温度及び設定ダンパ閉温度の変更制御に加え、ヒータ制御を行なうから、仕様切換室の過冷却を有効に防止し得るようになる。この場合、ヒータ通電時期を、仕様切換室の温度が設定ダンパ閉温度以下であるときもしくは該設定ダンパ閉温度に近い温度以下であるときとしたから、適正なヒータ通電タイミングとなる。すなわち、仕様切換室の温度が設定ダンパ閉温度以下であるときもしくは該温度近傍の温度以下であるときには、仕様切換室内の温度は制御範囲のうちでも低いといった状況であるといえる。従って、このような温度状況で急速冷凍運転が開始されると、過冷却の程度が大きくなってしまう。
しかして、上記構成においては、大きな過冷却発生が予測される状況でヒータを通電するから、過冷却防止を有効に防止できるものとなる。
【００１９】
なお、「ヒータの制御パターンを通常運転時より発熱量アップの方向へ変更する」という制御には、「通常運転時に断電されていたヒータを、急速冷凍運転時に通電する」制御形態と、「通常運転時にある発熱量となるように通電されていたヒータを、急速冷凍運転時にさらに高い発熱量となるように通電制御する」制御形態とが含まれるものである。
【００２０】
請求項６の発明は、冷凍温度に冷却される冷凍室と、
この冷凍室に隣り合って設けられ冷凍温度帯から冷蔵温度帯までの任意の冷却温度に設定される仕様切換室と、
この仕様切換室を加熱すべく設けられたヒータと、
前記仕様切換室について設定された冷却温度に応じてダンパ開温度及びダンパ閉温度が設定され、ダンパ用温度センサがこの設定ダンパ開温度及び設定ダンパ閉温度を検出したときにそれぞれダンパを開閉して仕様切換室への冷気供給量を制御するダンパ装置と、
前記冷凍室を急速に冷凍するための急速冷凍指令が発生したときに一定時間急速冷凍運転を実行する急速冷凍運転制御手段と、
前記急速冷凍運転が開始されると、前記ダンパ装置のダンパが閉鎖される時間帯において前記ヒータの制御パターンを通常運転時より発熱量アップの方向へ変更する切換室温度補償制御手段と
を備えて構成される。
【００２１】
この構成においては、急速冷凍運転が開始されると、切換室温度補償制御手段により、ダンパ装置のダンパが閉鎖される時間帯においてヒータの制御パターンを通常運転時より発熱量アップの方向に変更するから、仕様切換室の過冷却を防止できるようになると共に、ヒータを適正時期に制御できるものとなる。すなわち、ダンパ制御時において、ダンパ装置のダンパが閉鎖される時間帯というは、仕様切換室内の温度は制御範囲のうちでも低いといった状況であるといえる。従って、このような温度状況と急速冷凍運転とが重なると、過冷却の程度が大きくなってしまうことが予想される。また、ダンパ装置のダンパが開放される時間帯というは、仕様切換室内の温度は制御範囲のうちでも高く、過冷却を来さないといった状況であるといえる。
しかして、上記構成においては、ダンパの開閉状況に合わせてヒータの発熱量がアップされるから、過冷却防止を有効に防止できるものとなる。
【００２２】
請求項７の発明は、冷凍温度に冷却される冷凍室と、
この冷凍室に隣り合って設けられ冷凍温度帯から冷蔵温度帯までの任意の冷却温度に設定される仕様切換室と、
この仕様切換室を加熱すべく設けられたヒータと、
前記仕様切換室について設定された冷却温度に応じてダンパ開温度及びダンパ閉温度が設定され、ダンパ用温度センサがこの設定ダンパ開温度及び設定ダンパ閉温度を検出したときにそれぞれダンパを開閉して仕様切換室への冷気供給量を制御するダンパ装置と、
前記冷凍室を急速に冷凍するための急速冷凍指令が発生したときに急速冷凍運転を実行する急速冷凍運転制御手段と、
前記急速冷凍運転が開始されると、前記仕様切替室の温度変化が上昇傾向にあるときに前記ヒータの制御パターンを通常運転時より発熱量アップの方向へ変更する切換室温度補償制御手段と
を備えて構成される。
【００２３】
この請求項７の発明は、次の点に着目してなされている。すなわち、仕様切替室内が温度上昇している場合には、過冷却の虞が少なく、一方、温度下降している場合には過冷却発生の虞がある。この点、この請求項９の発明においては、仕様切替室の温度変化が上昇傾向にあるときにヒータの制御パターンを通常運転時より発熱量アップの方向へ変更するようにしたから、仕様切替室の温度変化に応じてヒータを過不足なく制御できて、過冷却を適正に防止できるようになる。
【００２４】
請求項８の発明は、請求項６又は７において、切換室温度補償制御手段が、急速冷凍運転の開始時点から所定時間後に、ヒータの制御パターンを変更するようになっているところに特徴を有する。
この構成においては、ヒータの制御パターン変更が急速冷却運転時の適正時期に行なわれるようになり、仕様切換室が一時的に温度が高くなることがない。
【００２５】
請求項９の発明は、請求項６又は７において、切換室温度補償制御手段が、外気温度に応じてヒータの発熱量を変更するようになっているところに特徴を有する。
外気温度が低い場合に急速冷凍運転が実行されると、高い場合に比して仕様切換室が過冷却状態になりやすい。しかるに上記構成においては、切換室温度補償制御手段が、外気温度に応じてヒータの発熱量を変更するようになっているから、外気温度に応じてヒータを過不足なく制御できるようになる。
【００２６】
請求項１０の発明は、請求項６又は７において、切換室温度補償制御手段が、仕様切換室の設定冷却温度に応じてヒータの発熱量を変更するようになっているところに特徴を有する。
この構成においては、仕様切換室の仕様状態に応じてヒータを過不足なく制御できるようになる。
【００２７】
請求項１１は、請求項６又は７において、冷凍室内の温度を検出する冷凍室用温度センサを備え、
切換室温度補償制御手段が、急速冷凍運転の開始以後、前記冷凍室用温度センサによる検出温度が所定温度に達した時点でヒータの制御パターンを変更するようになっているところに特徴を有する。
この構成においては、急速冷凍運転の開始以後、冷凍室用温度センサによる検出温度が所定温度に達した時点でヒータの制御パターンを変更するから、ヒータの発熱量変更が適正時期に行なわれるようになり、仕様切換室が一時的に温度が高くなることがない。
【００２９】
【発明の実施の形態】
以下、本発明の第１の実施例につき図１ないし図１０を参照しながら説明する。冷蔵庫の全体構成を示す図２ないし図６において、冷蔵庫本体１は、鉄板製の外箱２と、この外箱２内に収納されたプラスチック製の内箱３と、これら外箱２と内箱３との間に充填された発泡性断熱材４とから構成されている。この冷蔵庫本体１の内部には、貯蔵室として上段から順に、冷蔵室５、左右に並ぶ製氷室６及び仕様切替室７、冷凍室８、野菜室９が設けられている。これら各室５〜９は、扉１０〜１４によって開閉されるように構成されている。
【００３０】
また、冷蔵室５内の下部には、ケース１５を引き出し可能に収納したチルド室１６が設けられている。仕様切替室７は、その室内の温度（冷却温度）を広い範囲で切り替えることができるように構成されている。この切り替えにより、仕様切替室７は、冷凍温度帯から冷蔵温度帯までの任意の冷却温度に冷却されるもので、本実施例においては、冷凍室、パーシャルフリージング室、チルド室、冷蔵室、野菜室またはワイン室のいずれかとして使用することが可能である。
【００３１】
上記製氷室６と冷凍室８とは図６に示すように互いに連通されていて、これらと隣り合うように仕様切替室７が設けられている。そして、製氷室６及び冷凍室８内の後部には、冷蔵庫本体１の左右方向中心から左側に偏らせて冷却器室１７が形成されており、この冷却器室１７内の冷凍室８側の部分に冷却器１８が配置されている。上記冷却器室１７は、製氷室６及び冷凍室８内の後部に、仕切部材１９を配設することにより形成されている。
【００３２】
また、冷却器室１７内には、冷凍室８と製氷室６との境界部分に対応するようにファン装置２０が配設されている。このファン装置２０は、ファン２０ａ及びファンモータ２０ｂから構成されている。
【００３３】
上記仕切部材１９には、図５に示すように、製氷室６及び冷凍室８内に開口する吹出口２１が上下に複数形成されている。この場合、ファン装置２０が通電駆動されると、冷却器室１７内の冷気がファン２０ａにより吸引されて送り出され、この送り出された冷気の一部は吹出口２１から製氷室６及び冷凍室８内に吹き出される。そして、残りの冷気は、上記仕様切替室７の後側に設けられたダンパ装置２２側へ吹き出されるように構成されている。
【００３４】
このダンパ装置２２は、図４に示すように、仕様切替室７の背板としても機能する取付板２３と、この取付板２３の後側に配置されるダンパ主部２４と、このダンパ主部２４を包み込むようにして仕様切替室７に取り付けられる箱状カバー２５とを備えている。上記箱状カバー２５の左側面には、図５に示すように、冷気導入路２６が左方に突出するように形成されている。この場合、上述したようにファン装置２０により送り出された冷気の残りは、上記冷気導入路２６を通ってダンパ装置２２内に導入されるように構成されている。
【００３５】
そして、ダンパ主部２４の内部には、図３及び図４に示すように、上記冷気導入路２６内に流入した冷気を案内する冷気通路２７が形成されている。この冷気通路２７の出口側は二分岐されており、一方の分岐路２７ａ（図４参照）は取付板２３に形成された第１の吹出口２８に連通され、他方の分岐路２７ｂ（図３参照）は箱状カバー２５の背面に上向きに形成された第２の吹出口２９に連通されている。
【００３６】
上記第１の吹出口２８は、図４に示すように、仕様切替室７の内部上面に取り付けられたダクト３０に接続されており、該第１の吹出口２８から吐出された冷気は、このダクト３０から仕様切替室７内に吹き出される構成となっている。また、第２の吹出口２９は、図６に示すように、冷蔵室５の背部に設けられたダクト３１に接続されており、該第２の吹出口２９から吐出された冷気は、このダクト３１を通ってチルド室１６内及び冷蔵室５内に吹き出されるように構成されている。
【００３７】
一方、製氷室６及び冷凍室８、仕様切替室７に供給された冷気は、それら各室を冷却した後、冷却器室１７に戻される。また、冷蔵室５とチルド室１６に供給された冷気は、その後、野菜室９に供給されて該野菜室９を冷却し、最終的に冷却器室１７に戻されるようになっている。そして、冷却器室１７に戻された空気は、再び冷却器１８により冷却されてから、上記各室５〜９、１６に供給されるように循環する構成となっている。
【００３８】
さて、冷蔵室５（チルド室１６）及び仕様切替室７の各室内の温度（冷却温度）は、第１の吹出口２８及び第２の吹出口２９から吹き出される冷気供給量を調整することにより制御されている。これら第１の吹出口２８及び第２の吹出口２９からの冷気吹き出し量を制御するために、ダンパ主部２７には、その分岐路２７ａ及び２７ｂを開閉するダンパたる切替室ダンパ３２及び冷蔵室ダンパ３３が設けられている。
【００３９】
これら切替室ダンパ３２及び冷蔵室ダンパ３３は、１台のダンパモータ２２ａにより図示しないカム機構を介して開閉駆動されるように構成されている。上記２個のダンパ３２、３３の開閉モードとしては、両方とも開、両方とも閉、切替室ダンパ３２が開で冷蔵室ダンパ３３が閉、切替室ダンパ３２が閉で冷蔵室ダンパ３３が開の４モードが用意されており、カム軸の９０度ごとの回転で上記４つのモードを得ることが可能なように構成されている。
【００４０】
また、冷蔵室５、冷凍室８及び仕様切替室７には、それぞれ冷蔵室用温度センサ３４（図７参照）、冷凍室用温度センサ３５（図７参照）及び仕様切替室用温度センサ３６（図７参照）が設けられている。そして、冷凍室用温度センサ３５がオン設定温度を検出すると、冷蔵庫本体１の下部の機械室３７内に配設されたコンプレッサ３８とファン装置２０が通電駆動され、オフ設定温度を検出すると、コンプレッサ３８とファン装置２０が断電停止されるように構成されている。これにより、製氷室６及び冷凍室８内の温度が所定の冷凍温度（例えば−１８℃）に等しくなるように制御される。
【００４１】
また、仕様切替室用温度センサ３６が設定されたダンパ開温度を検出すると、切替室ダンパ３２が開放動作されて、仕様切替室７内に冷気が供給されるようになり、設定されたダンパ閉温度を検出すると、切替室ダンパ３２が閉塞動作されて仕様切替室７内への冷気供給が停止されるように構成されている。これにより、仕様切替室７内の温度制御が行われる。更に、冷蔵室５についても同様に、冷蔵室用温度センサ３４がオン設定温度を検出すると、ダンパ３３が開放動作されて冷蔵室５内に冷気が供給され、オフ設定温度を検出すると、ダンパ３３が閉塞動作されて冷蔵室５内への冷気供給が停止されるように構成されている。これにより、冷蔵室５内の温度制御が行われる。
【００４２】
一方、図６に示すように、前記製氷室６内には、自動製氷装置３９の製氷皿４０が配設されている。この製氷皿４０は、皿駆動機構４１により上下反転位置まで回動駆動されると共に、ひねられるように構成されており、この動作により製氷皿４０内に製造された氷の離氷が行なわれるようになっている。上記製氷皿４０から離氷された氷は貯氷ボックス４２内に貯留される。なお、離氷動作及びその後の給水動作については説明を省略する。
【００４３】
図７において、急速冷凍運転制御手段及び切替室温度補償制御手段並びにヒータ制御手段として機能する制御装置４３はマイクロコンピュータを主体とするもので、制御装置４３には、冷蔵室用温度センサ３４、仕様切替室用温度センサ３６、冷凍室用温度センサ３５、扉７〜１１の開閉を検出する扉スイッチ４４ａ〜４４ｅ、冷蔵庫外の温度を検出する外気温度センサ４５、急速冷凍開始スイッチ４６及び急速冷凍中止スイッチ４７、仕様切替ダイアル４８などから検出信号が入力されるようになっている。上記急速冷凍開始スイッチ４６及び急速冷凍中止スイッチ４７、仕様切替ダイアル４８は、冷蔵庫本体１の適宜部位に設けられた図示しない操作パネルに配設されている。
【００４４】
仕様切替ダイアル４８は、可変抵抗器を備えていて、その回動角度に応じた電圧信号を温度設定信号として制御装置４３に与える。この制御装置４３はこの温度設定信号に応じて仕様切替室７の冷却温度すなわち前述したダンパ開温度及びダンパ閉温度を設定するようになっており、その設定されたダンパ開温度及びダンパ閉温度に基くダンパ制御により、仕様切替室が前述した冷凍室、パーシャルフリージング室、チルド室、冷蔵室、野菜室またはワイン室のいずれかの仕様となる。また、前記外気温度センサ４５は冷蔵庫本体１の適宜部位に冷蔵庫外の温度を検出し得るように設けられている。
【００４５】
そして、上記制御装置４３はそれら入力信号および予め設定されたプログラムに基づいて、コンプレッサ１９、ダンパモータ２２ａ、ファン装置１６のファンモータ２０ａ、ヒータたる仕様切替室用ヒータ４９を制御する。例えば、急速冷凍開始スイッチ４６がオンされると制御装置４３は、このオン信号を急速冷凍指令として受取り、制御装置４３は、この急速冷凍指令に基いてコンプレッサ３８を強制的に一定時間運転すること、つまり急速冷凍運転を行なって冷凍室８を急冷する。また、制御装置４３は、この急速冷凍運転中に急速冷凍中止スイッチ４７がオン操作されるとこの急速冷凍運転を中止して通常運転に戻すようになっている。
【００４６】
次に上記構成の作用について、制御装置４３の製氷に関連する制御内容を示す図１及び図８のフローチャートも参照しながら説明する。
図８には、仕様切替室７についてのダンパ開閉制御の内容を示しており、この制御は、急速冷凍運転が実行されなくても実行されても、ある時間周期で実行されるものである。同図に示すダンパ開温度Ｔｏ及びダンパ閉温度Ｔｃは仕様切替ダイアル４８の回動操作により設定される。しかして、ステップＳ１においては、仕様切替室用温度センサ３６による検出温度が設定されたダンパ開温度Ｔｏ以上か否かを判断し、以上であれば、切替室ダンパ３２を開放させ（ステップＳ２）てステップＳ３に移行し、以上でなければステップＳ２を実行せずにステップＳ３に移行する。
【００４７】
ステップＳ３では、仕様切替室用温度センサ３６による検出温度が設定されたダンパ閉温度Ｔｃ以下か否かを判断し、以下であれば、ステップＳ４に移行して切替室ダンパ３２を閉鎖させる。このような切替室ダンパ３２の開閉により、仕様切替室７を設定された温度、つまり、設定された仕様状態（冷凍室、パーシャルフリージング室、チルド室、冷蔵室、野菜室またはワイン室のいずれかの仕様状態）に冷却する。
【００４８】
図１には、切替室温度補償手段の制御内容を示しており、これは、急速冷凍開始スイッチ４６がオンされた時、つまり急速冷凍運転が開始された時に実行されるものである。すなわちステップＴ１においては、仕様切替室７の仕様状態が冷凍室仕様であるか否かを判断し、冷凍室仕様であれば、ステップＴ２に移行して、設定ダンパ開温度Ｔｏ及び設定ダンパ閉温度Ｔｃを通常運転時より高めるように変更する。この場合、それぞれ温度Ｔ（Ｆ）分高める。
つまり、Ｔｏ＝Ｔｏ＋Ｔ（Ｆ）、Ｔｃ＝Ｔｃ＋Ｔ（Ｆ）とする。この場合温度Ｔ（Ｆ）は４〜５℃が好ましい。
【００４９】
上記ステップＴ１において、冷凍室仕様でないと判断されれば、ステップＴ３に移行して、仕様切替室７の仕様状態が冷蔵室仕様であるか否かを判断し、冷蔵室仕様であれば、次のステップＴ４に移行して、設定ダンパ開温度Ｔｏ及び設定ダンパ閉温度Ｔｃを通常運転時より、それぞれ温度Ｔ（Ｒ）分高めるように変更する。
つまり、Ｔｏ＝Ｔｏ＋Ｔ（Ｒ）、Ｔｃ＝Ｔｃ＋Ｔ（Ｒ）とする。この場合温度Ｔ（Ｒ）は３〜４℃が好ましい。
【００５０】
ステップＴ３において、冷蔵室仕様でないと判断されれば、ステップＴ５に移行して、仕様切替室７の仕様状態に応じて、設定ダンパ開温度Ｔｏ及び設定ダンパ閉温度Ｔｃを通常運転時より、それぞれ温度Ｔ（ｎ）分高めるように変更する。この温度Ｔ（ｎ）は、パーシャルフリージング室、チルド室、野菜室またはワイン室の各仕様ごとに予め定められている。
ステップＴ６では、急速冷凍運転が終了（一定時間経過による終了もしくは急速冷凍中止スイッチ４７オンによる中止）したか否かを判断し、終了すれば、この上記ダンパ開温度Ｔｏ及びダンパ閉温度Ｔｃを元の温度に戻して（ステップＴ７）、この制御を終了する。
【００５１】
ダンパ開温度Ｔｏ及びダンパ閉温度Ｔｃが上述のように変更されると、図８においては、仕様切替室用温度センサ３６による検出温度が、その変更されたダンパ開温度Ｔｏ及びダンパ閉温度Ｔｃとなった時に切替室ダンパ３２が開閉されて仕様状態に合うように温度制御されるものである。
【００５２】
図９には、仕様切替室７の仕様が冷蔵室である場合の温度変化の一例を示している。すなわち急速冷凍運転が開始されると（時点ｔ１）と、ダンパ開温度Ｔｏ及びダンパ閉温度Ｔｃを変更しない場合（これは点線の特性線Ｊ１で示す）には、仕様切替室７内の温度は制御しようとする温度範囲（２〜４℃）から下がってゆくが、本実施例のように、ダンパ開温度Ｔｏ及びダンパ閉温度Ｔｃを高めるように変更する場合には、実線の特性線Ａで示すように制御しようとする温度範囲にキープされる。なお、特性線Ｂは、本実施例における仕様切替室７へ冷気吹き出し温度変化を示し、特性線Ｊ２は、ダンパ開温度Ｔｏ及びダンパ閉温度Ｔｃを変更しない場合の仕様切替室７へ冷気吹き出し温度変化を示し、特性線Ｃは、本実施例における冷凍室８内の温度変化を示し、特性線Ｄは、本実施例における冷却器１８の蒸発温度変化を示している。
【００５３】
また、図１０には、仕様切替室７の仕様が冷凍室である場合の温度変化の一例を示している。すなわち急速冷凍運転が開始されると（時点ｔ１）と、ダンパ開温度Ｔｏ及びダンパ閉温度Ｔｃを変更しない場合（これは点線の特性線Ｊ３で示す）には、仕様切替室７内の温度は制御しようとする温度範囲（−１９〜−１７℃）から下がってゆくが、本実施例のように、ダンパ開温度Ｔｏ及びダンパ閉温度Ｔｃを高めるように変更する場合には、実線の特性線Ｅで示すように制御しようとする温度範囲にキープされる。
【００５４】
このような本実施例によれば、急速冷凍運転が開始されると、設定ダンパ開温度Ｔｏ及び設定ダンパ閉温度Ｔｃを通常運転時より高める方向へ変更するから、ダンパ装置２２の切替室ダンパ３２の閉塞頻度が多くなり、もって、急速冷凍運転が実行されても、仕様切換室７が過冷却されることがなくなる。
【００５５】
また、本実施例によれば、仕様切換室７が冷凍室仕様である場合には、温度変更幅を４〜５℃とし、仕様切換室７が冷蔵室仕様である場合には、温度変更幅を３〜４℃としているから、つまり、仕様切換室７の設定冷却温度すなわち仕様状態に応じて設定ダンパ開温度Ｔｏ及び設定ダンパ閉温度Ｔｃの変更幅を異ならせているから、仕様切換室７の仕様状態にあった変更幅で設定ダンパ開温度Ｔｏ及び設定ダンパ閉温度Ｔｃを設定でき、もって、仕様切換室７の仕様状態にかかわらずに過冷却を防止できる。
【００５６】
すなわち、急速冷凍運転が開始された時、仕様切換室７が過冷却状態となる程度は、その時点での仕様切換室の温度状態（仕様状態）によって異なるものである。例えば、仕様切換室の設定冷却温度が冷蔵室仕様である場合にこの状態から過冷却となる程度と、仕様切換室の設定冷却温度が冷凍室仕様である場合にこの状態から過冷却となる程度とでは、後者の方が大きい。本実施例によれば、上述から明らかなように、このような事情に対応できるものである。
【００５７】
図１１は本発明の第２の実施例を示しており、この実施例においては、急速冷凍運転の開始時点から所定時間後に設定ダンパ開温度Ｔｏ及び設定ダンパ閉温度Ｔｃを変更するところに特徴がある。すなわち、ステップＵ１で示すように、急速冷凍開始スイッチ４６がオンされてから所定時間が経過するのを待ち、この所定時間が経過するとステップＵ２以降に移行する。このステップＵ２以降は、第１の実施例の図１のステップＴ１以降と同じである。
【００５８】
この第２の実施例によれば、急速冷凍運転の開始時点から所定時間を待って、設定ダンパ開温度Ｔｏ及び設定ダンパ閉温度Ｔｃを変更するようになっているから、変更制御が適正時期に行なわれるようになり、仕様切換室７が一時的に温度が高くなることがない。すなわち、急速冷凍運転が開始された場合、仕様切換室７は初期のうちには過冷却状態となることがなく、急速冷凍運転が進につれて徐々に過冷却状態となってゆく。従って、急速冷凍運転が開始されて若干時間が経過してから、上述の温度変更を行なっても差し支えがない。また、急速冷凍運転の開始と同時に上述の温度変更を行なうと、一時的に仕様切換室７の温度が高くなる懸念もある。
【００５９】
しかるにこの実施例によれば、上述したように、急速冷凍運転の開始時点から所定時間後に設定ダンパ開温度Ｔｏ及び設定ダンパ閉温度Ｔｃを変更するようになっているから、変更制御が適正時期に行なわれるようになり、仕様切換室７が一時的に温度が高くなることがない。
【００６０】
図１２は本発明の第３の実施例を示している。この実施例においては、急速冷凍運転の開始以後、ステップＶ１から判るように、冷凍室用温度センサ３５による検出温度が所定温度に達してから、ステップＶ２以降に移行して設定ダンパ開温度Ｔｏ及び設定ダンパ閉温度Ｔｃを変更するようになっている。
【００６１】
この第３の実施例の考え方は第２の実施例と同様の考え方である。すなわち、急速冷凍運転が開始された場合、仕様切換室７は初期のうちには、つまり、冷凍室８の温度が所定温度まで低下しないうちは過冷却状態となることがないという考え方である。しかして、この第３の実施例によれば、急速冷凍運転の開始以後、冷凍室用温度センサ３５による検出温度が所定温度に達した時点で設定ダンパ開温度Ｔｏ及び設定ダンパ閉温度Ｔｃを変更するから、変更制御が適正時期に行なわれるようになり、仕様切換室７が一時的に温度が高くなることがない。
【００６２】
図１３は本発明の第４の実施例を示しており、この実施例では、ステップＷ２、ステップＷ５、ステップＷ７から理解できるように、仕様切換室７の設定冷却温度である仕様状態に応じて、設定ダンパ開温度Ｔｏ及び設定ダンパ閉温度Ｔｃの変更までの時間を異ならせているところに特徴がある。すなわち、仕様切替室７の仕様が冷凍室であると（ステップＷ１の「ＹＥＳ」）、ステップＷ２に移行して所定時間Ｈ（Ｆ）待機する。この後、ステップＷ３に移行して設定ダンパ開温度Ｔｏ及び設定ダンパ閉温度Ｔｃを変更する。
【００６３】
また、仕様切替室７の仕様が冷凍室であると（ステップＷ４の「ＹＥＳ」）、ステップＷ５に移行して所定時間Ｈ（Ｒ）待機する。この場合、所定時間Ｈ（Ｒ）の方が所定時間Ｈ（Ｆ）よりも若干長く設定されている。この後、ステップＷ６に移行して設定ダンパ開温度Ｔｏ及び設定ダンパ閉温度Ｔｃを変更する。さらに、仕様切替室７の仕様が冷凍室及び冷蔵室以外であると（ステップＷ４の「ＮＯ」）、ステップＷ７に移行して、設定されている仕様状態に応じた所定時間Ｈ（ｎ）で待機する。この後、ステップＷ８に移行して設定ダンパ開温度Ｔｏ及び設定ダンパ閉温度Ｔｃを変更する。この場合、上記所定時間Ｈ（Ｆ）、Ｈ（Ｒ）及びＨ（ｎ）は、仕様切替室７の設定冷却温度が低いほど短くなるように設定されている。
【００６４】
しかして、この第４の実施例によれば、仕様切換室７の設定冷却温度に応じて設定ダンパ開温度Ｔｏ及び設定ダンパ閉温度Ｔｃの変更時点を異ならせているから、仕様切換室７の仕様状態に合わせた変更タイミングとすることができ、もって、仕様切換室７の仕様状態にかかわらずに過冷却を防止できる。
【００６５】
すなわち、例えば、仕様切換室７の設定冷却温度が冷蔵室仕様である場合にこの状態から過冷却となる時間と、仕様切換室７の設定冷却温度が冷凍室仕様である場合にこの状態から過冷却となる時間とでは、後者の方が早い。
しかして、この実施例では、仕様切換室７の設定冷却温度に応じて設定ダンパ開温度Ｔｏ及び設定ダンパ閉温度Ｔｃの変更時点を異ならせているから、仕様切換室の仕様状態に合わせた変更タイミングが得られ、よって、仕様切換室７の仕様状態にかかわらずに過冷却を防止できるものである。
【００６６】
図１４は本発明の第５の実施例を示しており、この実施例においては、急速冷凍運転時に仕様切換室７の温度が設定ダンパ閉温度以下であるときに仕様切替室用ヒータ４９に通電するようにしたところに特徴がある。すなわち、設定ダンパ開温度Ｔｏ及び設定ダンパ閉温度Ｔｃを変更した後（ステップＸ２、ステップＸ４、ステップＸ５の後）、ステップＸ６に移行して、仕様切替室用温度３６による検出温度がダンパ閉温度Ｔｃ以下であるか否かを判断し、以下であればステップＸ７に移行して、仕様切替室用ヒータ４９を通電し、以下でなければステップＸ８に移行して仕様切替室用ヒータ４９を断電する（前状態がヒータ断電状態であればこれを継続する）。このような制御を急速冷凍運転が終了するまで実行する。
【００６７】
この第５の実施例によれば、設定ダンパ開温度Ｔｏ及び設定ダンパ閉温度Ｔｃの変更制御に加え、ヒータ制御を行なうから、仕様切換室７の過冷却を有効に防止し得るようになる。そして、ヒータ通電時期を、仕様切換室７の温度が設定ダンパ閉温度Ｔｃ以下であるときとしたから、適正なヒータ通電タイミングとなる。すなわち、仕様切換室７の温度が設定ダンパ閉温度Ｔｃ以下であるときには、仕様切換室７内の温度は制御範囲のうちでも低いといった状況であるといえる。従って、このような温度状況で急速冷凍運転が開始されると、過冷却の程度が大きくなってしまう。
しかるに、上記実施例によれば、大きな過冷却発生が予測される状況で仕様切替室用ヒータ４９を通電するから、過冷却防止を有効に防止できる。なお、仕様切替室用ヒータ４９に通電する条件は、仕様切換室７の温度が設定ダンパ閉温度Ｔｃ以下であるとき以外でも、仕様切換室７の温度が該設定ダンパ閉温度Ｔｃに近い温度以下であるときでも良い。
【００６８】
図１５ないし図１７は本発明の第６の実施例を示しており、この実施例においては、次の点が第１の実施例と異なる。まず、制御装置４３は、図１５に示すように、仕様切替室用ヒータ４９を急速冷凍運転以外の通常制御においても通電制御するようにしている。すなわち、まず、ステップＹ１に示すように、仕様切替室７の仕様状態（設定冷却温度）及び外気温度に応じたヒータ制御を行なう。このヒータ制御の内容を下記表１に示す。
【００６９】
【表１】
0003598213.tif 000002
【００７０】
上記外気温度は外気温度センサ４５にて検出する。この表１から判るように、概略的にいえば、仕様切替室７の設定冷却温度が高いほど仕様切替室用ヒータ４９の発熱量（ワット）がアップするように設定され、また、外気温度が低くなるについて発熱量がアップするように設定されている。なお、冷凍室仕様の場合には、仕様切替室用ヒータ４９は通電されないものとしている。なお、このヒータ４９の発熱量の調節は通電電流の制御により行なうようになっている。
【００７１】
上述のステップＹ１の後、ステップＹ２に移行し、仕様切替室用温度センサ３６による検出温度が設定されたダンパ開温度Ｔｏ以上か否かを判断し、以上であれば、切替室ダンパ３２を開放させて（ステップＹ３）、ステップＹ４に移行し、以上でなければステップＹ３を実行せずにステップＹ４に移行する。
【００７２】
ステップＹ４では、仕様切替室用温度センサ３６による検出温度が設定されたダンパ閉温度Ｔｃ以下か否かを判断し、以下であれば、ステップＹ５に移行して切替室ダンパ３２を閉鎖させる。このような切替室ダンパ３２の開閉により、仕様切替室７を設定された温度、つまり、設定された仕様状態（冷凍室、パーシャルフリージング室、チルド室、冷蔵室、野菜室またはワイン室のいずれかの仕様状態）に冷却する。
【００７３】
さて、急速冷凍開始スイッチ４６がオンされると、制御装置４３は、図１５の制御に代えて、図１６の制御を実行する。すなわち、ステップＺ１では、切替室ダンパ３２を閉鎖し、次いで、ステップＺ２に移行して、予め設定された所定時間待機し、そして、ステップＺ３に移行して、仕様切替室用ヒータ４９のヒータ発熱量をアップする。すなわち、表１の各発熱量に対して１Ｗ増加するように仕様切替室用ヒータ４９を制御する。急速冷凍運転が終了すると（ステップＺ４にて判断）、通常の制御（図１５の制御）に戻してこの制御を終了する。
【００７４】
図１７には、この実施例における切替室ダンパ３２の開閉状況、ヒータ発熱量の変化状況、及び仕様切替室７の温度変化状況を示している。この場合時点ｔ１において急速冷凍が発生している。この図１７において、特性線Ｊａは上述のヒータ制御をしない場合の仕様切替室７の温度変化を示し、特性線Ｆは本実施例の上述の制御を行なった場合の仕様切替室７の温度変化状況を示している。両特性線Ｊａ、Ｆの比較から明らかなように、本実施例では、仕様切替室７が過冷却状態となることはない。
【００７５】
このような本実施例によれば、急速冷凍運転が開始されると、ダンパ装置２２の切替室ダンパ３２を閉鎖すると共に仕様切替室用ヒータ４９の発熱量をアップするように制御するから、仕様切換室７内への冷気供給が停止されることに加えて仕様切替室用ヒータ４９の発熱量がアップされるから、急速冷凍運転が実行されても、仕様切換室が過冷却されることを防止できる。
【００７６】
図１８は本発明の第７の実施例を示しており、この実施例においては、次の点が第６の実施例と異なる。すなわち、この実施例では、切替室ダンパ３２を、通常運転時及び急速冷凍運転時を問わず、設定ダンパ開温度Ｔｏ及び設定ダンパ閉温度Ｔｃに基いて開閉制御させることを実行している（図１５と同じ制御が通常運転時及び急速冷凍運転時共に実行される）。そして、仕様切替室用ヒータ４９の制御については図１８に示すように制御される。急速冷凍開始スイッチ４６がオンされると、ステップＰ１において切替室ダンパ３２が閉状態であるか否かを判断し、閉状態であれば、ステップＰ２で仕様切替室用ヒータ４９の発熱量をアップさせ、閉状態でなければ（開状態であれば）、ステップＰ３で仕様切替室用ヒータ４９の発熱量は通常制御のままとする。
【００７７】
この第７の実施例によれば、仕様切換室７の過冷却を防止できるようになると共に、仕様切替室用ヒータ４９を適正時期に制御できるものとなる。すなわち、ダンパ制御時において、ダンパ装置２２の切替室ダンパ３２が閉鎖される時間帯というは、仕様切換室７内の温度は制御範囲のうちでも低いといった状況であるといえる。従って、このような温度状況と急速冷凍運転とが重なると、過冷却の程度が大きくなってしまうことが予想される。また、ダンパ装置２２の切替室ダンパ３２が開放される時間帯というは、仕様切換室７内の温度は制御範囲のうちでも高く、過冷却を来さないといった状況であるといえる。
この点を考慮した上記実施例によれば、仕様切換室７の過冷却を防止できるようになると共に、仕様切替室用ヒータ４９を適正時期に制御できる。
【００７８】
図１９は本発明の第８の実施例を示しており、この実施例においては、仕様切替室７の温度変化が上昇傾向にあるときに仕様切替室用ヒータ４９の制御パターンを発熱量アップの方向へ変更するようにしたところに特徴がある。すなわち、この実施例では、仕様切替室用ヒータ４９は、通常運転では断電する制御を行なっている。そして、急速冷凍開始スイッチ４６がオンされると、前記図１５の制御に代えて図１９の制御を実行する。まず、ステップＱ１において、この時点で切替室ダンパ３２が閉鎖状態であるか否かを判断し、閉鎖状態であれば、ステップＱ２に移行して、仕様切替室７内が温度（仕様切替室用温度センサ３６による検出温度）が上昇しているか否かを判断し、上昇していれば、ステップＱ３に移行して切替室ダンパ３２を開放し、次のステップＱ４で設定ダンパ閉温度Ｔｃとなったか否かを判断し、設定ダンパ閉温度Ｔｃとなるのを待って、ステップＱ５の急速冷凍運転終了か否かの判断ステップに移行する。
【００７９】
一方、上記ステップＱ２において、仕様切替室７内の温度が上昇していない（下降しているか、変化がない）ことが判断されると、ステップＱ６に移行して切替室ダンパ３２を閉鎖すると共に、仕様切替室用ヒータ４９を通電する。そして、次のステップＱ７に移行して、仕様切替室７内の温度が設定ダンパ開温度Ｔｏであるか否かを判断し、設定ダンパ開温度Ｔｏとなれば、ステップＱ５に移行する。
【００８０】
ここで、急速冷凍運転が開始されると、仕様切替室７内が温度上昇している場合には、過冷却の虞が少なく、一方、温度下降している場合には過冷却発生の虞があるが、しかし、この実施例によれば、仕様切替室７の温度変化が上昇傾向にあるときに仕様切替室用ヒータ４９の制御パターンを発熱量アップの方向（この場合ヒータ断電から通電）へ変更するようにしたから、仕様切替室の温度変化に応じてヒータを過不足なく制御できて、過冷却を適正に防止できる。
【００８１】
なお、本発明において、「ヒータの制御パターンを通常運転時より発熱量アップの方向へ変更する」制御は、「通常運転時に断電されていたヒータを、急速冷凍運転時に通電する」制御形態であっても良いし、「通常運転時にある発熱量となるように通電されていたヒータを、急速冷凍運転時にさらに高い発熱量となるように通電制御する」制御形態であっても良い。
【００８２】
【発明の効果】
本発明は以上の説明から明らかなように、次の効果を得ることができる。
請求項１の発明によれば、急速冷凍運転が開始されると、切換室温度補償制御手段により、設定ダンパ開温度及び設定ダンパ閉温度を通常運転時より高める方向へ変更するから、急速冷凍運転が実行されても、仕様切換室が過冷却されることをなくし得る。さらに、切換室温度補償制御手段が、急速冷凍運転の開始時点から所定時間後に設定ダンパ開温度及び設定ダンパ閉温度を変更するようになっているから、変更制御が適正時期に行なわれ、仕様切換室が一時的に温度が高くなることがない。
【００８３】
請求項２の発明によれば、急速冷凍運転の開始以後、冷凍室用温度センサによる検出温度が所定温度に達した時点で設定ダンパ開温度及び設定ダンパ閉温度を変更するから、変更制御が適正時期に行なわれ、仕様切換室が一時的に温度が高くなることをなくし得る。
【００８４】
請求項３の発明によれば、仕様切換室の設定冷却温度に応じて設定ダンパ開温度及び設定ダンパ閉温度の変更幅を異ならせているから、仕様切換室の仕様状態にあった変更幅で設定ダンパ開温度及び設定ダンパ閉温度を設定でき、もって、仕様切換室の仕様状態にかかわらずに過冷却を防止できる。
【００８５】
請求項４の発明によれば、仕様切換室の設定冷却温度に応じて設定ダンパ開温度及び設定ダンパ閉温度の変更時点を異ならせているから、仕様切換室の仕様状態にかかわらずに過冷却を防止できる。
【００８６】
請求項５の発明によれば、設定ダンパ開温度及び設定ダンパ閉温度の変更制御に加え、ヒータ制御を行なうから、仕様切換室の過冷却を有効に防止し得、しかも、ヒータ通電時期を、仕様切換室の温度が設定ダンパ閉温度以下であるときもしくは該設定ダンパ閉温度に近い温度以下であるときとしたから、大きな過冷却発生が予測される状況でヒータを通電でき、過冷却防止を有効に防止できる。
【００８８】
請求項６の発明によれば、急速冷凍運転が開始されると、ダンパ装置のダンパが閉鎖される時間帯においてヒータの制御パターンを通常運転時より発熱量アップの方向に変更するから、仕様切換室の過冷却を防止できると共に、ヒータを適正時期に制御できる。
【００８９】
請求項７の発明によれば、仕様切替室の温度変化が上昇傾向にあるときにヒータの制御パターンを通常運転時より発熱量アップの方向へ変更するようにしたから、仕様切替室の温度変化に応じてヒータを過不足なく制御できて、過冷却を適正に防止できる。
【００９０】
請求項８の発明によれば、急速冷凍運転の開始時点から所定時間後に、ヒータの制御パターンを変更するから、ヒータの制御パターン変更が急速冷却運転時の適正時期に行なわれ、仕様切換室が一時的に温度が高くなることがない。
請求項９の発明によれば、外気温度に応じてヒータの発熱量を変更するから、外気温度に応じてヒータを過不足なく制御できる。
請求項１０の発明によれば、仕様切換室の設定冷却温度に応じてヒータの発熱量を変更するから、仕様切換室の仕様状態に応じてヒータを過不足なく制御できる。
【００９１】
請求項１１によれば、急速冷凍運転の開始以後、冷凍室用温度センサによる検出温度が所定温度に達した時点でヒータの制御パターンを変更するから、ヒータの発熱量変更が適正時期に行なわれるようになり、仕様切換室が一時的に温度が高くなることがない。
【図面の簡単な説明】
【図１】本発明の第１の実施例を示す急速冷凍運転時での制御内容を示すフローチャート
【図２】冷蔵庫の正面図
【図３】縦断側面図
【図４】仕様切替室部分の縦断側面図
【図５】扉を省いて示す冷蔵庫の正面図
【図６】冷凍室及び仕様切替室部分の縦断正面図
【図７】電気的構成を示すブロック図
【図８】ダンパ開閉制御内容を示すフローチャート
【図９】仕様切替室の仕様が冷蔵室である場合の各部の温度変化の一例を示す図
【図１０】仕様切替室の仕様が冷凍室である場合の各部の温度変化の一例を示す図
【図１１】本発明の第２の実施例を示す図１相当図
【図１２】本発明の第３の実施例を示す図１相当図
【図１３】本発明の第４の実施例を示す図１相当図
【図１４】本発明の第５の実施例を示す図１相当図
【図１５】本発明の第６の実施例を示す通常制御のフローチャート
【図１６】図１相当図
【図１７】切替室ダンパの開閉状況、ヒータ発熱量の変化状況、及び仕様切替室の温度変化状況を示す図
【図１８】本発明の第７の実施例を示す図１相当図
【図１９】本発明の第８の実施例を示す図１相当図
【符号の説明】
１は冷蔵庫本体、７は仕様切替室、８は冷凍室、１８は冷却器、２０はファン装置、２２はダンパ装置、３２は切替室ダンパ、３５は冷凍室用温度センサ、３６は仕様切替室用温度センサ、３８はコンプレッサ、４３は制御装置（急速冷凍運転制御手段、切替室温度補償制御手段、ヒータ制御手段）、４５は外気温度センサ、４６は急速冷凍開始スイッチ、４９は仕様切替室用ヒータ（ヒータ）を示す。
【図１】
0003598213.tif 000003
【図２】
0003598213.tif 000004
【図３】
0003598213.tif 000005
【図４】
0003598213.tif 000006
【図５】
0003598213.tif 000007
【図６】
0003598213.tif 000008
【図７】
0003598213.tif 000009
【図８】
0003598213.tif 000010
【図９】
0003598213.tif 000011
【図１０】
0003598213.tif 000012
【図１１】
0003598213.tif 000013
【図１２】
0003598213.tif 000014
【図１３】
0003598213.tif 000015
【図１４】
0003598213.tif 000016
【図１５】
0003598213.tif 000017
【図１６】
0003598213.tif 000018
【図１７】
0003598213.tif 000019
【図１８】
0003598213.tif 000020
【図１９】
0003598213.tif 000021